(57)【要約】  トリフルリジン又はその塩を含む試料を有機相及び水相からなる移動相を用いる高速液体クロマトグラフィーに供する工程を含む、トリフルリジン由来の類縁物質を検出するための方法であって、前記高速液体クロマトグラフィーに供する工程が以下の要件を満たすステップ１及び２を含む、方法：ステップ１：移動相全体に対する有機相の割合が１〜１４容量％である。ステップ２：ステップ１の後、移動相全体に対する有機相の割合を増加させるようグラジェントをかける
2019135405.tif 000002
【特許請求の範囲】
【請求項１】
トリフルリジン又はその塩を含む試料を有機相及び水相からなる移動相を用いる高速液体クロマトグラフィーに供する工程を含む、トリフルリジン由来の類縁物質を検出するための方法であって、前記高速液体クロマトグラフィーに供する工程が、以下の要件を満たすステップ１及び２を含む、方法：
ステップ１：移動相全体に対する有機相の割合が１〜１４容量％である。
ステップ２：ステップ１の後、移動相全体に対する有機相の割合を増加させるようグラジェントをかける。
【請求項２】
前記類縁物質が下記類縁物質１〜６からなる群より選ばれる少なくとも１つである、請求項１に記載の方法：
類縁物質１：５−カルボキシウラシル、
類縁物質２：５−カルボキシ−２’−デオキシ−ウリジン、
類縁物質３：２’−デオキシ−５−メトキシカルボニルウリジン、
類縁物質４：トリフルオロチミン、
類縁物質５：５−メトキシカルボニルウラシル、
類縁物質６：５’−（４−クロロフェニルカルボキシ）−２’−デオキシ−５−トリフルオロメチルウリジン。
【請求項３】
ステップ１で類縁物質１〜５を検出し、ステップ２で類縁物質６を検出する、請求項１又は２に記載の方法。
【請求項４】
ステップ１がアイソクラティック状態で行われる、請求項１〜３のいずれか一項に記載の方法。
【請求項５】
有機相がアセトニトリルである、請求項１〜４のいずれか一項に記載の方法。
【請求項６】
ステップ１における移動相全体に対する有機相の割合が２〜１０容量％である、請求項１〜５のいずれか一項に記載の方法。
【請求項７】
ステップ２の終了時における移動相全体に対する有機相の割合が２５〜７０容量％である、請求項１〜６のいずれか一項に記載の方法。
【請求項８】
ステップ２において移動相全体に対する有機相の割合を１分間に０．９容量％以上増加させるグラジェントをかける、請求項１〜７のいずれか一項に記載の方法。
【請求項９】
ステップ２の測定時間が１０〜５０分間である、請求項１〜８のいずれか一項に記載の方法。
【請求項１０】
ステップ２の終了時における流量がステップ１の流量の１．０〜１．５倍である、請求項１〜９のいずれか一項に記載の方法。
【請求項１１】
水相がさらにリン酸塩を含む、請求項１〜１０のいずれか一項に記載の方法。
【請求項１２】
水相がさらにメタノールを含む、請求項１〜１１のいずれか一項に記載の方法。
【請求項１３】
トリフルリジン又はその塩を含む配合剤の品質管理に用いられる５−カルボキシ−２’−デオキシ−ウリジン（類縁物質２）。
【請求項１４】
トリフルリジン又はその塩を含む配合剤の不純物検出の際に標準品として用いるための５−カルボキシ−２’−デオキシ−ウリジン（類縁物質２）。
【請求項１５】
５−カルボキシ−２’−デオキシ−ウリジン（類縁物質２）の、トリフルリジン又はその塩を含む配合剤の不純物検出の際の標準品としての使用。
【請求項１６】
５−カルボキシ−２’−デオキシ−ウリジン（類縁物質２）からなる、トリフルリジン又はその塩を含む配合剤の不純物検出の際の標準品。
【請求項１７】
トリフルリジン又はその塩を含む配合剤の品質管理に用いられる２’−デオキシ−５−メトキシカルボニルウリジン（類縁物質３）。
【請求項１８】
トリフルリジン又はその塩を含む配合剤の不純物検出の際に標準品として用いるための２’−デオキシ−５−メトキシカルボニルウリジン（類縁物質３）。
【請求項１９】
２’−デオキシ−５−メトキシカルボニルウリジン（類縁物質３）の、トリフルリジン又はその塩を含む配合剤の不純物検出の際の標準品としての使用。
【請求項２０】
２’−デオキシ−５−メトキシカルボニルウリジン（類縁物質３）からなる、トリフルリジン又はその塩を含む配合剤の不純物検出の際の標準品。
【請求項２１】
トリフルリジン又はその塩を含む配合剤の品質管理に用いられる５−メトキシカルボニルウラシル（類縁物質５）。
【請求項２２】
トリフルリジン又はその塩を含む配合剤の不純物検出の際に標準品として用いるための５−メトキシカルボニルウラシル（類縁物質５）。
【請求項２３】
５−メトキシカルボニルウラシル（類縁物質５）の、トリフルリジン又はその塩を含む配合剤の不純物検出の際の標準品としての使用。
【請求項２４】
５−メトキシカルボニルウラシル（類縁物質５）からなる、トリフルリジン又はその塩を含む配合剤の不純物検出の際の標準品。
【請求項２５】
５’−（４−クロロフェニルカルボキシ）−２’−デオキシ−５−トリフルオロメチルウリジン（類縁物質６）。
【請求項２６】
トリフルリジン又はその塩を含む配合剤の品質管理に用いられる５’−（４−クロロフェニルカルボキシ）−２’−デオキシ−５−トリフルオロメチルウリジン（類縁物質６）。
【請求項２７】
トリフルリジン又はその塩を含む配合剤の不純物検出の際に標準品として用いるための５’−（４−クロロフェニルカルボキシ）−２’−デオキシ−５−トリフルオロメチルウリジン（類縁物質６）。
【請求項２８】
５’−（４−クロロフェニルカルボキシ）−２’−デオキシ−５−トリフルオロメチルウリジン（類縁物質６）の、トリフルリジン又はその塩を含む配合剤の不純物検出の際の標準品としての使用。
【請求項２９】
５’−（４−クロロフェニルカルボキシ）−２’−デオキシ−５−トリフルオロメチルウリジン（類縁物質６）からなる、トリフルリジン又はその塩を含む配合剤の不純物検出の際の標準品。
【発明の詳細な説明】
【技術分野】
【０００１】
本発明は、高速液体クロマトグラフィーによるトリフルリジン含有製剤の類縁物質の測定方法に関する。
【背景技術】
【０００２】
一般的に医薬品の類縁物質の測定は、液体クロマトグラフィーにより行われており、水及び有機溶媒の混液を移動相とした順相又は逆相カラムの系がよく用いられる。古くより、Ｖｉｒｏｐｉｃ（登録商標）の名前でトリフルリジンは感染治療用の点眼剤として用いられている。出願人の製品であるロンサーフ（登録商標）は、トリフルリジン及びチピラシルを含有する製剤である。当該トリフルリジン及びチピラシルを含む医薬品は、抗腫瘍剤として販売されており、その製剤について複数の報告がある（特許文献１、２、３、４）。【０００３】
そして、トリフルリジンの類縁物質として、５−トリフルオロメチルウラシル、及び５−カルボキシウラシルが知られており、高速液体クロマトグラフィーでこれらを測定している報告がある（非特許文献１）。【０００４】
トリフルリジンの類縁物質である５−トリフルオロメチルウラシルが、様々な逆相液体クロマトグラフィーの条件で測定できることが報告されている（非特許文献２）。【０００５】
トリフルリジンの腫瘍細胞への取込みを測定するために、液体クロマトグラフィーを用いることが報告されている（非特許文献３）。【０００６】
トリフルリジンのＴＫ１の基質特異性の判断に、液体クロマトグラフィーが用いられていることが報告されている（非特許文献４）。【０００７】
酵素合成におけるトリフルリジンの測定において、液体クロマトグラフィーが用いられていることが報告されている（非特許文献５）。【０００８】
また、トリフルリジン及びチピラシルを含む医薬品について、定量的な液体クロマトグラフィーの分析が報告されている（非特許文献６、７、８）。【０００９】
トリフルリジンの類縁物質である５−トリフルオロメチルウラシルの測定のために、アセトニトリルを用いた様々な高速液体クロマトグラフィーの条件が報告されている（非特許文献２）。【００１０】
トリフルリジンの腫瘍細胞への取込みを測定するために、アセトニトリルを用いた高速液体クロマトグラフィーの条件が報告されている（非特許文献３）。【００１１】
トリフルリジンのＴＫ１の基質特異性の判断のために、アセトニトリルを用いた高速液体クロマトグラフィーの条件が報告されている（非特許文献４）。【００１２】
酵素合成におけるトリフルリジンを確認するために、酢酸トリメチルアンモニウムを添加し、グラジエントをかけた高速液体クロマトグラフィーの条件が報告されている（非特許文献５）。【００１３】
ロンサーフに含まれるトリフルリジンとチピラシルの定量的な測定のために、アセトニトリルを用いた高速液体クロマトグラフィーの条件が報告されている（非特許文献６、７、８）。【００１４】
点眼剤としてのトリフルリジンについて、メタノールを用いた高速液体クロマトグラフィーの条件が報告されている（非特許文献９、１０）。【００１５】
トリフルリジンについて、酢酸バッファー、トリフルオロ酢酸、もしくは酢酸を添加した移動相を用いた高速液体クロマトグラフィーの条件が報告されている（非特許文献１１、１２、特許文献６、１３）。【００１６】
また、トリフルリジンの純度を確認するために、高速液体クロマトグラフィーを用いているが、その条件は記載されていない（特許文献７）。【００１７】
しかし、これらの報告には、トリフルリジンの類縁物質を２つのグラジェント条件を用いたステップによって高速液体クロマトグラフィーで検出する方法についての示唆はない。
【先行技術文献】
【特許文献】
【００１８】
【特許文献１】ＷＯ２０１３／１２２１３４
【特許文献２】ＷＯ２０１３／１２２１３５
【特許文献３】ＷＯ２００６／０８０３２７
【特許文献４】ＷＯ９６／３０３４６
【特許文献５】ＣＮ１０６７４９１９４Ａ
【特許文献６】ＣＮ１０５１９８９４７Ａ
【特許文献７】ＣＮ１０５４６１７７２Ａ
【特許文献８】日本特許４６０３２７４
【特許文献９】日本特許４４４１３１３
【特許文献１０】日本特許４４３７７８６
【非特許文献】
【００１９】
【非特許文献１】Ｐ.Ｈｏｒｓｃｈら、Ｉｎｔｅｒｎａｔｉｏｎａｌ  Ｊｏｕｒｎａｌ  ｏｆ  Ｐｈａｒｍａｃｅｕｔｉｃｓ  ２２２（２００１）、ｐ．２０５−２１５
【非特許文献２】Ｄ．Ｖ．Ｍｏｉｓｅｅｖら、Ｐｈａｒｍａｃｅｕｔｉｃａｌ  Ｃｈｅｍｉｓｔｒｙ  Ｊｏｕｒｎａｌ  ４１，１（２００７）、ｐ．２５−３３
【非特許文献３】Ｎ．ＴＡＮＡＫＡら、Ｏｎｃｏｌｏｇｙ  Ｒｅｐｏｒｔｓ  ３２（２０１４）、ｐ．２３１９−２３２６
【非特許文献４】Ｋ．ＳＡＫＡＭＯＴＯら、Ｉｎｔｅｒｎａｔｉｏｎａｌ  Ｊｏｕｒｎａｌ  ｏｆ  Ｏｎｃｏｌｏｇｙ  ４６（２０１５）、ｐ．２３２７−２３３４
【非特許文献５】Ａ．Ｆｒｅｓｃｏ−Ｔａｂｏａｄａら、Ｃａｔａｌｙｓｉｓ  Ｔｏｄａｙ  ２５９（２０１５）、ｐ．１９７−２０４
【非特許文献６】Ｍ．Ｓ．Ｈ．Ｒｉｚｗａｎら、Ｉｎｔｅｒｎａｔｉｏｎａｌ  Ｊｏｕｒｎａｌ  ｏｆ  Ｉｎｎｏｖａｔｉｖｅ  Ｐｈａｒｍａｃｅｕｔｉｃａｌ  Ｓｃｉｅｎｃｅｓ  ａｎｄ  Ｒｅｓｅａｒｃｈ  ５（２０１７）、ｐ．３２−４２
【非特許文献７】Ｓ．ＧＯＤＡＹら、Ｉｎｔｅｒｎａｔｉｏｎａｌ  Ｊｏｕｒｎａｌ  ｏｆ  Ｒｅｓｅａｒｃｈ  ｉｎ  Ａｐｐｌｉｅｄ，Ｎａｔｕｒａｌ  ａｎｄ  Ｓｏｃｉａｌ  Ｓｃｉｅｎｃｅｓ  ５（２０１７）、ｐ．９３−１０４
【非特許文献８】Ｋ．Ｊｏｇｉら、Ｉｎｔｅｒｎａｔｉｏｎａｌ  Ｊｏｕｒｎａｌ  ｏｆ  Ｒｅｓｅａｒｃｈ  ｉｎ  Ｐｈａｒｍａｃｙ  ａｎｄ  Ｃｈｅｍｉｓｔｒｙ  ７（２０１７）、ｐ．６３−７０
【非特許文献９】Ｂ．Ｐａｗら、Ｐｈａｒｍａｚｉｅ  ７（１９９７）、ｐ．５５１−５５２
【非特許文献１０】Ｔ．Ｂｒｉｇｇｌｅら、Ｊｏｕｒｎａｌ  ｏｆ  Ｃｈｒｏｍａｔｏｇｒａｐｈｙ  ３８１（１９８６）、ｐ．３４３−３５５
【非特許文献１１】Ｍ．Ｒｉｅｇｅｌら、Ｊｏｕｒｎａｌ  ｏｆ  Ｃｈｒｏｍａｔｏｇｒａｐｈｙ  ５６８（１９９１）、ｐ．４６７−４７４
【非特許文献１２】Ｇ．Ｂａｌａｎｓａｒｄら、Ｊｏｕｒｎａｌ  ｏｆ  Ｃｈｒｏｍａｔｏｇｒａｐｈｙ  ３４８（１９８５）、ｐ．２９９−３０３
【非特許文献１３】Ｔ．Ｋａｗａｕｃｈｉら、Ｊｏｕｒｎａｌ  ｏｆ  Ｃｈｒｏｍａｔｏｇｒａｐｈｙ  ７５１（２００１）、ｐ．３２５−３３０
【発明の概要】
【発明が解決しようとする課題】
【００２０】
本発明が解決すべき課題は、トリフルリジン又はその塩を含む試料から、トリフルリジン由来の類縁物質を２つのグラジェント条件を用いたステップにより高速液体クロマトグラフィーで検出し得る新規方法を提供することである。
【課題を解決するための手段】
【００２１】
本発明者らは鋭意検討した結果、特定の条件下で高速液体クロマトグラフィーを用いることより、トリフルリジン又はその塩の類縁物質を効率よく検出できると共に、その品質を保証するのに適した検出方法を見出した。【００２２】
したがって、本発明は、次の［１］〜［３１］を提供するものである。【００２３】
［１］トリフルリジン又はその塩を含む試料を有機相及び水相からなる移動相を用いる高速液体クロマトグラフィーに供する工程を含む、トリフルリジン由来の類縁物質を検出するための方法であって、前記高速液体クロマトグラフィーに供する工程が、以下の要件を満たすステップ１及び２を含む、方法：
ステップ１：移動相全体に対する有機相の割合が１〜１４容量％である。
ステップ２：ステップ１の後、移動相全体に対する有機相の割合を増加させるようグラジェントをかける。【００２４】
［２］前記類縁物質が下記類縁物質１〜６からなる群より選ばれる少なくとも１つである、［１］に記載の方法：
類縁物質１：５−カルボキシウラシル、
類縁物質２：５−カルボキシ−２’−デオキシ−ウリジン、
類縁物質３：２’−デオキシ−５−メトキシカルボニルウリジン、
類縁物質４：トリフルオロチミン、
類縁物質５：５−メトキシカルボニルウラシル、
類縁物質６：５’−（４−クロロフェニルカルボキシ）−２’−デオキシ−５−トリフルオロメチルウリジン。【００２５】
［３］ステップ１で類縁物質１〜５を検出し、ステップ２で類縁物質６を検出する、［１］又は［２］に記載の方法。【００２６】
［４］ステップ１がアイソクラティック状態で行われる、［１］〜［３］のいずれか一項に記載の方法。【００２７】
［５］有機相がアセトニトリルである、［１］〜［４］のいずれか一項に記載の方法。【００２８】
［６］ステップ１における移動相全体に対する有機相の割合が２〜１０容量％である、［１］〜［５］のいずれか一項に記載の方法。【００２９】
［７］ステップ２の終了時における移動相全体に対する有機相の割合が２５〜７０容量％である、［１］〜［６］のいずれか一項に記載の方法。【００３０】
［８］ステップ２において移動相全体に対する有機相の割合を１分間に０．９容量％以上増加させるグラジェントをかける、［１］〜［７］のいずれか一項に記載の方法。【００３１】
［９］ステップ２の測定時間が１０〜５０分間である、［１］〜［８］のいずれか一項に記載の方法。【００３２】
［１０］ステップ２の終了時における流量がステップ１の流量の１．０〜１．５倍である、［１］〜［９］のいずれか一項に記載の方法。【００３３】
［１１］水相がさらにリン酸塩を含む、［１］〜［１０］のいずれか一項に記載の方法。【００３４】
［１２］水相がさらにメタノールを含む、［１］〜［１１］のいずれか一項に記載の方法。【００３５】
［１３］トリフルリジン又はその塩を含む配合剤の品質管理に用いられる５−カルボキシ−２’−デオキシ−ウリジン（類縁物質２）。【００３６】
［１４］トリフルリジン又はその塩を含む配合剤の不純物検出の際に標準品として用いるための５−カルボキシ−２’−デオキシ−ウリジン（類縁物質２）。【００３７】
［１５］５−カルボキシ−２’−デオキシ−ウリジン（類縁物質２）の、トリフルリジン又はその塩を含む配合剤の不純物検出の際の標準品としての使用。【００３８】
［１６］５−カルボキシ−２’−デオキシ−ウリジン（類縁物質２）からなる、トリフルリジン又はその塩を含む配合剤の不純物検出の際の標準品。【００３９】
［１７］トリフルリジン又はその塩を含む配合剤の品質管理に用いられる２’−デオキシ−５−メトキシカルボニルウリジン（類縁物質３）。【００４０】
［１８］トリフルリジン又はその塩を含む配合剤の不純物検出の際に標準品として用いるための２’−デオキシ−５−メトキシカルボニルウリジン（類縁物質３）。【００４１】
［１９］２’−デオキシ−５−メトキシカルボニルウリジン（類縁物質３）の、トリフルリジン又はその塩を含む配合剤の不純物検出の際の標準品としての使用。【００４２】
［２０］２’−デオキシ−５−メトキシカルボニルウリジン（類縁物質３）からなる、トリフルリジン又はその塩を含む配合剤の不純物検出の際の標準品。【００４３】
［２１］トリフルリジン又はその塩を含む配合剤の品質管理に用いられる５−メトキシカルボニルウラシル（類縁物質５）。【００４４】
［２２］トリフルリジン又はその塩を含む配合剤の不純物検出の際に標準品として用いるための５−メトキシカルボニルウラシル（類縁物質５）。【００４５】
［２３］５−メトキシカルボニルウラシル（類縁物質５）の、トリフルリジン又はその塩を含む配合剤の不純物検出の際の標準品としての使用。【００４６】
［２４］５−メトキシカルボニルウラシル（類縁物質５）からなる、トリフルリジン又はその塩を含む配合剤の不純物検出の際の標準品。【００４７】
［２５］５’−（４−クロロフェニルカルボキシ）−２’−デオキシ−５−トリフルオロメチルウリジン（類縁物質６）。【００４８】
［２６］トリフルリジン又はその塩を含む配合剤の品質管理に用いられる５’−（４−クロロフェニルカルボキシ）−２’−デオキシ−５−トリフルオロメチルウリジン（類縁物質６）。【００４９】
［２７］トリフルリジン又はその塩を含む配合剤の不純物検出の際に標準品として用いるための５’−（４−クロロフェニルカルボキシ）−２’−デオキシ−５−トリフルオロメチルウリジン（類縁物質６）。【００５０】
［２８］５’−（４−クロロフェニルカルボキシ）−２’−デオキシ−５−トリフルオロメチルウリジン（類縁物質６）の、トリフルリジン又はその塩を含む配合剤の不純物検出の際の標準品としての使用。【００５１】
［２９］５’−（４−クロロフェニルカルボキシ）−２’−デオキシ−５−トリフルオロメチルウリジン（類縁物質６）からなる、トリフルリジン又はその塩を含む配合剤の不純物検出の際の標準品。【００５２】
［３０］［１］〜［１２］のいずれか１項に記載の方法を実施する工程を含む、トリフルリジン又はその塩を含む配合剤の製造方法。【００５３】
［３１］［１］〜［１２］のいずれか１項に記載の方法を実施する工程を含む、トリフルリジン又はその塩、及びチピラシル又はその塩を含む配合剤の品質管理方法。
【発明の効果】
【００５４】
本発明は、有機相及び水相からなる移動相を用いる高速液体クロマトグラフィーにより、トリフルリジン又はその塩の類縁物質を効率よく検出可能であり、かつ、その品質を保証するのに適したものである。
【図面の簡単な説明】
【００５５】
【図１】実施例１−１におけるクロマトグラムを示す。
【図２】実施例１−３におけるクロマトグラムを示す。
【図３】実施例２−１におけるクロマトグラムを示す。
【発明を実施するための形態】
【００５６】
本発明におけるトリフルリジン（ＦＴＤ）とは、α，α，α−トリフルオロチミジンであり、下記の構造を持つ化合物である。
【００５７】
【化１】
2019135405.tif 000003
【００５８】
本発明におけるトリフルリジンには、光学異性体、立体異性体、回転異性体、互変異性体等の異性体を有する場合には、特に明記しない限り、いずれの異性体も混合物も本発明化合物に包含される。
【００５９】
本発明において、特にそうでないことを明記しない限り、塩とは、薬学的に許容される塩を意味し、塩基付加塩又は酸付加塩を挙げることができる。
【００６０】
該塩基付加塩としては、例えばナトリウム塩、カリウム塩等のアルカリ金属塩；例えばカルシウム塩、マグネシウム塩等のアルカリ土類金属塩；例えばアンモニウム塩；例えばトリメチルアミン塩、トリエチルアミン塩、ジシクロヘキシルアミン塩、エタノールアミン塩、ジエタノールアミン塩、トリエタノールアミン塩、プロカイン塩、Ｎ，Ｎ’−ジベンジルエチレンジアミン塩等の有機アミン塩等が挙げられる。
【００６１】
該酸付加塩としては、例えば塩酸塩、硫酸塩、硝酸塩、リン酸塩、過塩素酸塩等の無機酸塩；例えば酢酸塩、ギ酸塩、マレイン酸塩、フマル酸塩、酒石酸塩、クエン酸塩、アスコルビン酸塩、トリフルオロ酢酸塩等の有機酸塩；例えばメタンスルホン酸塩、イセチオン酸塩、ベンゼンスルホン酸塩、ｐ−トルエンスルホン酸塩等のスルホン酸塩等が挙げられる。
【００６２】
本発明に用いられるトリフルリジン又はその塩として、好ましくは塩を形成していないトリフルリジンのフリー体である。
【００６３】
本発明の方法において、トリフルリジン又はその塩と溶媒を調整して試料とし、これを高速液体クロマトグラフィーへ注入することにより、トリフルリジンの類縁物質を検出することができる。
【００６４】
本発明における試料は、トリフルリジンの類縁物質を含みうる。類縁物質としては類縁物質１〜６の化合物が挙げられる。
【００６５】
【表１】
2019135405.tif 000004
【００６６】
類縁物質１は、５−カルボキシウラシルである。２，４−ジオキソ−１，２，３，４−テトラヒドロピリミジン−５−カルボン酸と称されることもある。
【００６７】
類縁物質２は、５−カルボキシ−２’−デオキシ−ウリジンである。１−（（２Ｒ，４Ｒ，５Ｒ）−４−ヒドロキシ−５−（ヒドロキシメチル）テトラヒドロフラン−２−イル）−２，４−ジオキソ−１，２，３，４−テトラヒドロピリミジン−５−カルボン酸と称されることもある。
【００６８】
類縁物質３は、２’−デオキシ−５−メトキシカルボニルウリジンである。１−（（２Ｒ，４Ｒ，５Ｒ）−４−ヒドロキシ−５−（ヒドロキシメチル）テトラヒドロフラン−２−イル）−２，４−ジオキソ−１，２，３，４−テトラヒドロピリミジン−５−カルボン酸メチルと称されることもある。
【００６９】
類縁物質４は、トリフルオロチミンである。５−（トリフルオロメチル）ピリミジン−２，４（１Ｈ，３Ｈ）−ジオンと称されることもある。
【００７０】
類縁物質５は、５−メトキシカルボニルウラシルである。２，４−ジオキソ−１，２，３，４−テトラヒドロピリミジン−５−カルボン酸メチルと称されることもある。
【００７１】
類縁物質６は、５’−（４−クロロフェニルカルボキシ）−２’−デオキシ−５−トリフルオロメチルウリジンである。４−クロロ安息香酸（（２Ｒ，３Ｒ，５Ｒ）−５−（２，４−ジオキソ−５−（トリフルオロメチル）−３，４−ジヒドロピリミジン−１（２Ｈ）−イル）−３−ヒドロキシテトラヒドロフラン−２−イル）メチルと称することもある。
【００７２】
本発明に用いられる試料としては、製剤や原薬そのものから調製した試料だけでなく、安定性などを確認するための試験において調製された試料、各類縁物質の保持時間等を確認するために各類縁物質を添加した試料、製剤や原薬の製造工程を確認するために調製された試料などにも用いることができる。試料は、ロンサーフ（登録商標）に配合されるチピラシル又はその塩を含むものであっても、これを実質的に含まないものであっても、含まないものであってもよい。
【００７３】
本発明で用いることができる製剤には、トリフルリジン又はその塩を含む。そして、必要に応じて薬学的に許容される担体を配合し、予防又は治療目的に応じて各種の投与形態を採用可能であり、該形態としては、例えば、経口剤、点眼剤、注射剤、坐剤、軟膏剤、貼付剤等のいずれでもよく、好ましくは、経口剤が採用される。これらの投与形態は、各々当業者に公知慣用の製剤方法により製造できる。
【００７４】
薬学的に許容される担体としては、製剤素材として慣用の各種有機或いは無機担体物質が用いられ、固形製剤における賦形剤、結合剤、崩壊剤、滑沢剤、着色剤、液状製剤における溶剤、溶解補助剤、懸濁化剤、等張化剤、緩衝剤、無痛化剤等として配合される。また、必要に応じて防腐剤、抗酸化剤、着色剤、甘味剤、安定化剤等の製剤添加物を用いることもできる。
【００７５】
経口用固形製剤を調製する場合は、トリフルリジン又はその塩に賦形剤、必要に応じて、結合剤、崩壊剤、滑沢剤、着色剤、矯味・矯臭剤等を加えた後、常法により錠剤、被覆錠剤、顆粒剤、散剤、カプセル剤等を製造することができる。
【００７６】
点眼剤を調整する場合は、トリフルリジン又はその塩に溶解補助剤、等張化剤、緩衝剤、防腐剤などを使用することにより製造することができる。
【００７７】
また、上記投与形態を有する薬剤の１日あたりの投与量は、患者の症状、体重、年齢、性別等によって適宜決定することができる。
【００７８】
本発明において用いられる高速液体クロマトグラフィーは、通常市販されているものを用いることができる。
【００７９】
クロマトグラフィーで用いられるカラムには、有機相を移動相にして脂溶性のある化合物を分離する順相カラムと、水相を移動相にして化合物を分離する逆相カラムが知られているが、高速液体クロマトグラフィーでは、逆相カラムが使用されることが多く、本発明においても逆相クロマトグラフィーが好ましい。
【００８０】
本発明において使用できる高速液体クロマトグラフィーのカラムは、シリカゲルカラム、表面をオクタデシルシリル基で修飾されたシリカゲルカラム（ＯＤＳカラム又はＣ１８カラム）、表面をオクチル基で修飾されたシリカゲルカラム（Ｃ８カラム）、表面をシアノプロピル基で修飾されたシリカゲルカラム（ＣＮカラム）、表面をフェネチル基で修飾されたシリカゲルカラム（Ｐｈカラム）、表面をアミノプロピル基で修飾されたシリカゲルカラム（ＮＨカラム）、表面をジヒドロキシプロピル基で修飾されたシリカゲルカラム（Ｄｉｏｌカラム）、各種ポリマーで充填されたカラム（ポリマーカラム）、イオン交換樹脂で充填されたカラム（イオン交換カラム）、などから選択されるが、本発明においてはＯＤＳカラムが好ましい。
【００８１】
ＯＤＳカラムとしては、シリカゲルの粒径、細孔径、オクタデシルシリル基の結合方法、オクタデシルシリル基の置換度等が異なる種々のものを使用することができる。本発明においては、高純度シリカゲルが使用され、オクタデシル化後に残存したシラノールを低分子のシリル化剤で処理したＯＤＳカラム（エンドキャッピングされたＯＤＳカラム）が好ましい。
【００８２】
ＯＤＳカラムとしては、シリカゲルの粒径、細孔径、オクタデシルシリル基の結合方法、オクタデシルシリル基の置換度等が異なる種々のものを使用することができる。本発明においては、シリカゲルの平均粒径は、例えば、２〜１０μｍが好ましく、３〜５μｍがより好ましい。シリカゲルの平均粒径は、レーザー回折法等により測定することができる。シリカゲルの平均細孔径は、例えば、６〜２０ｎｍが好ましく、８〜１３ｎｍがより好ましい。シリカゲルの平均細孔径は、ガス吸着法等により測定することができる。シリカゲルにおけるオクタデシルシリル基の結合様式としては、例えば、モノメリック様式、ポリメリック様式等が好ましい。オクタデシルシリル基の置換度は、種々の方法により測定することができる。シリカゲルの炭素量は、例えば、３％以上が好ましく、１０％以上がより好ましい。シリカゲルの炭素量は、例えば、２５％以下が好ましく、２０％以下がより好ましい。シリカゲルの炭素量は、種々の方法により測定することができる。
【００８３】
高速液体クロマトグラフィーの移動相において用いられる有機相としては、ヘキサン、シクロヘキサン、ヘプタン、ジエチルエーテル、テトラヒドロフラン、クロロホルム、塩化メチレンなどの非極性溶媒、アセトン、ジメチルスルホキシド、アセトニトリルなどの非プロトン性極性溶媒、酢酸、メタノール、エタノール、イソプロパノール、アセトニトリルなどを用いることができる。これらの溶媒は、１種単独で、又は２種以上を混合溶媒として用いることができる。本発明における有機相としては、メタノール、又はアセトニトリルが好ましく、アセトニトリルがより好ましい。また、有機相には１０％以下の水が含まれていてもよい。
【００８４】
高速液体クロマトグラフィーの移動相に用いられる水相は水のみだけでなく、１０％以下の有機溶媒が含まれていてもよいが、水相全体に対して１０％以下のメタノールが含まれている水相が好ましく、５％以下のメタノールが含まれていることがより好ましく、２％以下のメタノールが含まれていることがさらに好ましく、０．１〜１％のメタノールが含まれていることが特に好ましい。
【００８５】
高速液体クロマトグラフィーの移動相には、再現性を確保する観点から様々な緩衝剤を添加することができる。例えば、酢酸又はその塩、クエン酸又はその塩、酒石酸又はその塩、リン酸又はその塩を添加することができる。酢酸又はその塩としては、酢酸、酢酸ナトリウムが挙げられる。クエン酸又はその塩としては、クエン酸、クエン酸一ナトリウム、クエン酸二ナトリウム、クエン酸三ナトリウムが挙げられる。酒石酸又はその塩には、酒石酸、酒石酸ナトリウム、リン酸又はその塩としては、リン酸、リン酸二水素ナトリウム、リン酸水素二ナトリウム、リン酸二水素カリウム、リン酸水素二カリウムが挙げられる。本発明における水相の添加剤としては、測定物質の持つ性質、測定の際に得られるピークの形状、及び測定の再現性のから、リン酸塩が好ましく、リン酸二水素ナトリウムがより好ましい。これらの添加剤は、１種単独で、又は２種以上を組み合わせて用いることができる。
【００８６】
本発明に用いることができる緩衝剤の濃度は、高速液体クロマトグラフィーの測定中に緩衝剤が析出しない濃度であれば適宜調整することができる。好ましくは、１〜５０ｍＭであり、より好ましくは５〜４０ｍＭであり、さらに好ましくは１０〜３０ｍＭであり、特に好ましく１８〜２０ｍＭである。
【００８７】
高速液体クロマトグラフィーの移動相では、有機相と水相の混液が用いられる。本発明においては、類縁物質１、２、３、４、５、及びトリフルリジンの保持時間における移動相全体に対する有機相の割合が、１〜１４容量％が好ましく、２〜１０容量％がより好ましく、３〜７容量％が特に好ましい。
【００８８】
高速液体クロマトグラフィーの移動相では、有機相と水相の混液が用いられるが、それらの割合は測定中に変化させることが多く、グラジェントをかけると呼ばれる。通常、目的とされる化合物の保持時間及び目的とする化合物と類縁物質との分離を考慮して、グラジェントをかけることが多い。
【００８９】
本発明においては、ステップ１とステップ２のグラジェント条件を含むことを特徴とする。
ステップ１：移動相全体に対する有機相の割合が、１〜１４容量％である。
ステップ２：ステップ１の後、移動相全体に対する有機相の割合をさらに増加させるようグラジェントをかける。
【００９０】
ステップ１においては、移動相にグラジェントをかけてもアイソクラティック状態でもよいが、アイソクラティック状態が好ましい。また、ステップ１における移動相全体に対する有機相の割合は１〜１４容量％が挙げられるが、２〜１０容量％がより好ましく、３〜７容量％が特に好ましい。本発明において、「ステップ１における移動相全体に対する有機相の割合がＸ〜Ｙ容量％である」とは、ステップ１の間、上記割合がＸ〜Ｙ容量％の範囲にあることを意味する。
【００９１】
ステップ１の開始は、試料を高速液体クロマトグラフィーに注入してから５分以内であり、３分以内が好ましく、１分以内がより好ましく、注入と同時が特に好ましい。
【００９２】
ステップ１の終了は、試料を高速液体クロマトグラフィーに注入してから１３〜３０分後である。トリフルリジンが、ベースラインの凹み及びゴーストピークと重複しないように考慮し、ステップ１の終了は、当該注入から１５〜２８分後が好ましく、１７〜２５分後が特に好ましい。
【００９３】
ステップ１における測定時間は、上記の開始と終了の範囲にあれば特に制限はないが、１５〜２８分間が好ましく、１７〜２５分間がより好ましい。
【００９４】
ステップ１における移動相の流量の上限は、高速液体クロマトグラフィーで通常用いられるものであればよいが、各類縁物質の保持時間の分離を考慮し、流量は、２．５ｍＬ／ｍｉｎ以下が好ましく、２．０ｍＬ／ｍｉｎ以下がより好ましく、１．５ｍＬ／ｍｉｎ以下がさら好ましく、１．３ｍＬ／ｍｉｎ以下がなおさらに好ましく、１．１ｍＬ／ｍｉｎ以下が特に好ましい。また、ステップ１における移動相の流量の範囲は特に限定されないが、例えば、０．５〜２．５ｍＬ／ｍｉｎが好ましく、０．５〜２．０ｍＬ／ｍｉｎがより好ましく、０．７〜１．５ｍＬ／ｍｉｎがさらに好ましく、０．８〜１．３ｍＬ／ｍｉｎがなおさらに好ましく、０．９〜１．１ｍＬ／ｍｉｎが特に好ましい。
【００９５】
このようにして、ステップ１では類縁物質１、２、３、４、及び５からなる群より選ばれる１つ以上のトリフルリジンの類縁物質を検出することができる。好ましくは、ステップ１では類縁物質１、２、３、４、及び５を検出することができる。
【００９６】
また、ステップ１をよりアイソクラティック状態な状態で行う観点から、ステップ１において類縁物質１、２、３、４及び５のうち少なくとも１種が検出された場合、類縁物質１、２、３、４及び５のうちステップ１において検出されたもののそれぞれの保持時間における移動相全体に対する有機相の割合のうち、最大値と最小値との差が、移動相全体の５容量％以下であることが好ましく、１容量％以下であることが特に好ましい。
【００９７】
ステップ２においては、移動相にグラジェントをかけて有機相の割合を増加させる。ステップ１でグラジェントをかけていた場合、ステップ２では、より有機相の割合を増加させるようグラジェントをかける。ステップ１でアイソクラティック状態の場合、ステップ２では有機相の割合を増加させるようグラジェントをかける。
【００９８】
ステップ２の終了時における移動相全体に対する有機相の割合は、２５〜７０容量％であり、３０〜６５容量％がより好ましく、３５〜６０容量％が特に好ましい。本発明において、ステップ２の終了時とは、ステップ２のグラジェントをかけるのを止めて移動相全体に対する有機相の割合を下げ始めた時点を意味する。
【００９９】
ステップ２の開始は、ステップ１の終了後３分以内に開始すれば特に制限はないが、１分以内が好ましく、ステップ１の終了と当時がより好ましい。
【０１００】
ステップ２の終了は、類縁物質６の保持時間より後であれば特に制限はないが、試料を高速液体クロマトグラフィーに注入してから３５〜６５分後であり、４０〜６０分後がより好ましい。
【０１０１】
ステップ２における測定時間は、類縁物質６の保持時間が測定できれば特に制限はないが、１０〜５０分間が好ましく、１５〜４５分間がより好ましい。
【０１０２】
ステップ２におけるグラジェントは、移動相全体に対する有機相の割合を増加させるものであれば特に制限はないが、１分間に移動相全体に対する有機相の割合を０．９容量％以上増加させることが好ましく、１分間に１．０容量％以上増加させることがより好ましく、１分間に２．０容量％以上増加させることが特に好ましい。移動相全体に対する有機相の割合の増加の上限は特に限定されないが、例えば、１分間に１０容量％以下等が好ましく、１分間に５．０容量％以下等がより好ましい。本明細書において、時間当たり（例えば、１分間に）移動相全体に対する有機相の割合をＸ容量％増加するとは、単位時間当たり、移動相全体に対する有機相の割合を、移動相全体１００容量％に対し、Ｘ容量％増加することを意味する。また、本発明においては、ステップ２の測定時間中における、移動相全体に対する有機相の割合の変化（測定時間中における移動相全体に対する有機相の割合のうち、最大値と最小値との差）を移動相全体の３０容量％以上にすることが好ましく、５０容量％以上にすることが特に好ましい。ステップ２の測定時間中における、移動相全体に対する有機相の割合の変化の上限は特に限定されないが、例えば、移動相全体の８０容量％以下にすることが好ましく、７０容量％以下にすることが特に好ましい。
【０１０３】
ステップ２における移動相の流量は、高速液体クロマトグラフィーで通常用いられるものであればよいが、各類縁物質の保持時間の分離を考慮し、流量は、２．５ｍＬ／ｍｉｎ以下が好ましく、２．０ｍＬ／ｍｉｎ以下がより好ましく、１．５ｍＬ／ｍｉｎ以下がさら好ましい。また、ステップ２における移動相の流量の範囲は特に限定されないが、例えば、０．５〜２．５ｍＬ／ｍｉｎが好ましく、０．５〜２．０ｍＬ／ｍｉｎがより好ましく、１．０〜１．５ｍＬ／ｍｉｎがさらに好ましい。全体の測定時間を短縮させる観点から、ステップ２の開始後から徐々に流量を上げることも可能であり、ステップ２の終了時における流量がステップ１の終了時の流量の１．０〜１．５倍が好ましい。
【０１０４】
このようにして、ステップ２では類縁物質６を検出することができる。
【０１０５】
本発明においては、上記の添加剤の他に、イオン対試薬を添加することができる。イオン対試薬には、ペンタンスルホン酸ナトリウム、ヘキサンスルホン酸ナトリウム、ヘプタンスルホン酸ナトリウム、オクタンスルホン酸ナトリウム、ドデカンスルホン酸ナトリウムなどのアルキルスルホン酸又はその塩（好ましくはアルキルスルホン酸ナトリウム）、ドデシル硫酸ナトリウムなどのアルキル硫酸又はその塩（好ましくはアルキル硫酸ナトリウム）、水酸化テトラエチルアンモニウム、水酸化テトラブチルアンモニウム、塩化テトラブチルアンモニウム、臭化テトラブチルアンモニウムなどの４級アンモニウム塩、トリヘキシルアミン、トリオクチルアミンなどの３級アミンを用いることができる。
【０１０６】
本発明における移動相（典型的には水相）のｐＨは、上記の添加剤などにより適宜調整することができるが、好ましくは２．０〜５．０である。
【０１０７】
本発明における方法で用いることができる検出波長は、各類縁物質の性質を考慮して２０８〜２８０ｎｍとすることができ、好ましくは２０８〜２４０ｎｍであり、より好ましくは２０８〜２１２ｎｍである。
【０１０８】
本発明における方法で用いることができるカラム内の移動相の温度は適宜設定することができる。外部環境の影響、再現性などを考慮し、好ましくは当該温度を一定に保つことであり、より好ましくは２５〜５０℃であり、さらに好ましくは３５〜４５℃であり、特に好ましくは、４０〜４４℃である。なお、当該温度を一定に保つにあたり、カラム全体の温度を制御するだけでなく、プレヒートミキサーなどを用いることができる。
【０１０９】
本発明における高速液体クロマトグラフィーでは、適宜、注入量、カラム内温度、などを変更することができる。
【０１１０】
これらの類縁物質のうち、類縁物質１〜５は、公知の方法により合成できるか、又は市販品により入手することができる。また、類縁物質６はトリフルリジンや市販の化合物から公知の方法により合成することができるか、後述の方法により合成することができる。このようにして得られた類縁物質の高速液体クロマトグラフィーの保持時間、マススペクトル、フォトダイオードアレイ（ＰＤＡ）と、本発明により検出された類縁物質のそれらとを比較することで、類縁物質を特定することができる。
【０１１１】
さらに、これらの類縁物質は、外部標準を用いる方法、内部標準を用いる方法のいずれの方法によっても定量的に測定することができる。
【０１１２】
これらの類縁物質が不純物として医薬品や製剤に含まれうる場合、これらの類縁物質は医薬品規制調和国際会議におけるガイドライン（ＩＣＨ−Ｑ３）に従って制御されるものである。本発明の方法は、当該ガイドラインの基準を満たすかどうか確認できるため、非常に有用である。
【０１１３】
また、これらの類縁物質は、本発明の方法によりトリフルリジン又はその塩から検出することができる。さらに、本発明は、類縁物質１〜６のうち１つ又は２以上を標準品として品質管理に用いることができ、好ましくは類縁物質１〜６のうち３つ以上であり、より好ましくは類縁物質１〜６のうち４つ以上であり、特に好ましくは類縁物質２、３、５及び６である。
【０１１４】
このような標準品に用いられるトリフルリジン及びこれら由来の類縁物質は、高純度のものになる。従って、当該高速液体クロマトグラフィーの条件により分離された各類縁物質は、標準品として用いることができる。よって、本発明は、トリフルリジン又はその塩を含む配合剤から単離することを特徴とする当該類縁物質の製造方法と言い換えることもできる。当該類縁物質は上記の類縁物質１〜６が挙げられ、好ましくは類縁物質２、３、５、６である。
【０１１５】
本発明が提供する品質管理方法は、トリフルリジン又はその塩を含む配合剤の品質管理方法であって、上記の本発明の方法を実施する工程を含む。本発明の品質管理方法は、例えば、上記類縁物質（例えば、類縁物質１〜６のいずれか１つ以上）の含有量（質量）が、所定の量以下である場合に、配合剤は品質管理に係る基準を満たすと評価することができる。
【０１１６】
本発明は、上記の本発明の方法を実施する工程を含む、トリフルリジン又はその塩を含む配合剤の製造方法をも提供する。本発明の製造方法は、例えば、トリフルリジン又はその塩を製造する工程、得られたトリフルリジン又はその塩、上記方法を実施する（好ましくはトリフルリジン又はその塩を含む配合剤の品質管理を行う）工程を含むことができる。
【０１１７】
本発明において、トリフルリジンに類縁物質２、３、５又は６が含まれていることは知られておらず、特に類縁物質６は新規の物質である。そのため、本発明には、トリフルリジン又はその塩を含む医薬組成物の品質管理に用いられる類縁物質２、３、５又は６を含み、さらには、トリフルリジン又はその塩を含む医薬組成物の不純物検出の際に標準品として用いるための類縁物質２、３、５又は６を含む。併せて、トリフルリジン又はその塩を含む医薬組成物から単離することを特徴とする類縁物質２、３、５又は６の製造方法も本発明に含まれる。
【０１１８】
本発明におけるトリフルリジン由来の類縁物質の検出において、高速液体クロマトグラフィーによる方法が用いられる。
【０１１９】
好ましくは、類縁物質１〜６からなる群より選ばれる少なくとも１つのトリフルリジン由来の類縁物質を検出する、以下のステップ１とステップ２の条件を含む方法である。
ステップ１：移動相全体に対する有機相の割合が、１〜１４容量％である。
ステップ２：ステップ１の後、有機相の割合をさらに増加させるようグラジェントをかける。
【０１２０】
より好ましくは、以下のステップ１とステップ２の条件を含む方法である。
ステップ１：類縁物質１〜５からなる群より選ばれる少なくとも１つのトリフルリジン由来の類縁物質を検出し、移動相全体に対する有機相の割合が、１〜１４容量％であり、アイソクラティック状態である。
ステップ２：ステップ１の後、有機相の割合をさらに増加させるようグラジェントをかけて、類縁物質６を検出する。
【０１２１】
より好ましくは、以下のステップ１とステップ２の条件を含む方法である。
ステップ１：移動相全体に対する有機相の割合が、２〜１０容量％であり、アイソクラティック状態であり、類縁物質１〜５を検出する。
ステップ２：ステップ１の後、移動相全体に対する有機相の割合をさらに増加させるようグラジェントをかけて、類縁物質６を検出する。
【０１２２】
より好ましくは、移動相における有機相にアセトニトリルを含む、以下のステップ１とステップ２の条件を含む方法である。
ステップ１：移動相全体に対する有機相の割合が、２〜１０容量％であり、アイソクラティック状態であり、類縁物質１〜５を検出する。
ステップ２：ステップ１の後、移動相全体に対する有機相の割合をさらに増加させるようグラジェントをかけ、ステップ２の終了時における移動相全体に対する有機相の割合は、２５〜７０容量％であり、類縁物質６を検出する。
【０１２３】
より好ましくは、移動相における有機相にアセトニトリルを含み、水相に水を含み、移動相にリン酸塩を含む、以下のステップ１とステップ２の条件を含む方法である。
ステップ１：移動相全体に対する有機相の割合が、２〜１０容量％であり、アイソクラティック状態であり、類縁物質１〜５を検出する。
ステップ２：ステップ１の後、移動相全体に対する有機相の割合を１分間に０．９容量％以上増加させるグラジェントをかけ、ステップ２の終了時における移動相全体に対する有機相の割合は、３０〜６５容量％であり、類縁物質６を検出する。
【０１２４】
より好ましくは、移動相における有機相にアセトニトリルを含み、水相に水を含み、移動相にリン酸塩を含む、以下のステップ１とステップ２の条件を含む方法である。
ステップ１：移動相全体に対する有機相の割合が、の２〜１０容量％であり、アイソクラティック状態であり、類縁物質１〜５を検出する。
ステップ２：ステップ１の後、移動相全体に対する有機相の割合を１分間に０．９容量％以上増加させるグラジェントをかけ、ステップ２の終了時における移動相全体に対する有機相の割合は、３０〜６５容量％であり、類縁物質６を検出する。
【０１２５】
より好ましくは、移動相における有機相にアセトニトリルを含み、水相に水を含み、移動相にリン酸塩を含む、以下のステップ１とステップ２の条件を含む方法である。
ステップ１：移動相全体に対する有機相の割合が、３〜７容量％であり、アイソクラティック状態であり、類縁物質１〜５を検出する。
ステップ２：ステップ１の後、移動相全体に対する有機相の割合を１分間に０．９容量％以上増加させるグラジェントをかけ、ステップ２の終了時における移動相全体に対する有機相の割合は、３５〜６０容量％であり、類縁物質６を検出する。
【０１２６】
より好ましくは、移動相における有機相にアセトニトリルを含み、水相に水を含み、移動相にリン二水素ナトリウムを含む、以下のステップ１とステップ２の条件を含む方法である。
ステップ１：移動相全体に対する有機相の割合が、３〜７容量％であり、アイソクラティック状態であり、測定時間が１５〜２８分間であり、類縁物質１〜５を検出する。
ステップ２：ステップ１の後、移動相全体に対する有機相の割合を１分間に有機相の割合を０．９容量％以上増加させるグラジェントをかけ、ステップ２の終了時における移動相全体に対する有機相の割合は、３５〜６０容量％であり、測定時間が１０〜５０分間であり、類縁物質６を検出する。
【０１２７】
より好ましくは、移動相における有機相にアセトニトリルを含み、水相に水を含み、移動相にリン二水素ナトリウムを含む、以下のステップ１とステップ２の条件を含む方法である。
ステップ１：移動相全体に対する有機相の割合が、３〜７容量％であり、アイソクラティック状態であり、測定時間が１５〜２８分間であり、類縁物質１〜５を検出する。
ステップ２：ステップ１の後、移動相全体に対する有機相の割合を１分間に０．９容量％以上増加させるグラジェントをかけ、ステップ２の終了時における移動相全体に対する有機相の割合は、３５〜６０容量％であり、測定時間が１０〜５０分間であり、ステップ２の終了時における流量がステップ１の流量の１．０〜１．５倍であり、類縁物質６を検出する。
【０１２８】
より好ましくは、移動相における有機相にアセトニトリルを含み、水相に水を含み、移動相にメタノール及びリン二水素ナトリウムを含む、以下のステップ１とステップ２の条件を含む方法である。
ステップ１：移動相全体に対する有機相の割合が、３〜７容量％であり、アイソクラティック状態であり、測定時間が１５〜２８分間であり、類縁物質１〜５を検出する。
ステップ２：ステップ１の後、移動相全体に対する有機相の割合を１分間に０．９容量％以上増加させるグラジェントをかけ、ステップ２の終了時における移動相全体に対する有機相の割合は、３５〜６０容量％であり、測定時間が１０〜５０分間であり、ステップ２の終了時における流量がステップ１の流量の１．０〜１．５倍であり、類縁物質６を検出する。
【実施例】
【０１２９】
以下の試験条件により高速液体クロマトグラフィーの測定を行った。
・検出器：紫外吸光光度計（波長は２１０ｎｍ）
・カラム：内径４．６ｍｍ，長さ１５ｃｍのステンレス管に３μｍ又は５μｍの液体クロマトグラフィー用オクタデシルシリル化シリカゲルカラム
・カラム温度：４０℃
・流量：各実施例に記載
・移動相：各実施例に記載
・グラジェント：各実施例に記載【０１３０】
高速液体クロマトグラフィーで測定する試料は以下の通り調製した。【０１３１】
トリフルリジンの濃度が約０．８ｍｇ／ｍＬとなるよう各測定条件で用いられる移動相と同じ組成の溶液に溶解させ、適宜希釈した溶液を試料とした。【０１３２】
本実施例において、各移動相における「％」表示は、容量％を意味する【０１３３】
実施例１−１
カラム：Ｈｙｄｒｏｓｐｈｅｒｅ  Ｃ１８、ＹＭＣ社製（３μｍ）
流量：１．０ｍＬ／ｍｉｎ
移動相Ａ：０．０５ｍｏｌ／Ｌのリン酸二水素ナトリウム水溶液
移動相Ｂ：アセトニトリル
グラジェント：移動相Ａと移動相Ｂを次の様に変えて濃度勾配制御した。０〜１８分：Ａ  ９５％  Ｂ  ５％、１８〜５５分：Ａ  ９５→６０％  Ｂ  ５％→４０％、５５〜５５．１分  Ａ６０％→９５％  Ｂ４０％→５％、５５．１以降  Ａ  ９５％  Ｂ  ５％。【０１３４】
測定結果を図１に示す。これより、トリフルリジンの保持時間が１７．２分に確認された。本測定方法において、トリフルリジンが、ベースラインの凹み及びゴーストピークと重複しないことを確認した。【０１３５】
実施例１−２
グラジェント：移動相Ａと移動相Ｂを次の様に変えて濃度勾配制御した。０〜１８分：Ａ  ９５％  Ｂ  ５％、１８〜４８分：Ａ  ９５→６０％  Ｂ  ５％→４０％、４８〜４８．１分  Ａ６０％→９５％  Ｂ４０％→５％、４８．１以降  Ａ  ９５％  Ｂ  ５％。【０１３６】
カラム、流量、移動相Ａ及び移動相Ｂは実施例１と同じ条件である。【０１３７】
本測定により、トリフルリジンが、ゴーストピークと重複しないことを確認した。【０１３８】
実施例１−３
グラジェント：移動相Ａと移動相Ｂを次の様に変えて濃度勾配制御した。０〜２０分：Ａ  ９５％  Ｂ  ５％、２０〜５０分：Ａ  ９５→６０％  Ｂ  ５％→４０％、５０〜５０．１分  Ａ６０％→９５％  Ｂ４０％→５％、５０．１以降  Ａ  ９５％  Ｂ  ５％。カラム、流量、移動相Ａ及び移動相Ｂは実施例１と同じ条件である。【０１３９】
測定結果を図２に示す。これより、トリフルリジンの保持時間が１７．１分に確認された。本測定方法において、トリフルリジンが、ベースラインの凹み及びゴーストピークと重複しないことを確認した。【０１４０】
実施例１−３−１  グラジェント：移動相Ａと移動相Ｂを次の様に変えて濃度勾配制御した。０〜１５分：Ａ  ９５％  Ｂ  ５％、１５〜４５分：Ａ  ９５→６０％  Ｂ  ５％→４０％、４５〜４５．１分  Ａ６０％→９５％  Ｂ４０％→５％、４５．１以降  Ａ  ９５％  Ｂ  ５％。カラム、流量、移動相Ａ及び移動相Ｂは実施例１と同じ条件である。
カラム：Ｉｎｅｒｔｓｉｌ  ＯＤＳ−３  ＧＬサイエンス社製（３μｍ）
流量、移動相Ａ及び移動相Ｂは実施例１−３と同じ条件である。【０１４１】
本測定により、トリフルリジンが、ゴーストピークと重複しないことを確認した。【０１４２】
実施例１−３−２
カラム：Ｉｎｅｒｔｓｉｌ  ＯＤＳ−４  ＧＬサイエンス社製（３μｍ）
流量、移動相Ａ及び移動相Ｂ、グラジェントは実施例１−３−１と同じ条件である。【０１４３】
本測定により、トリフルリジンが、ゴーストピークと重複しないことを確認した。【０１４４】
実施例１−３−３
カラム：ＹＭＣ−Ｐａｃｋ  Ｐｒｏ  Ｃ１８  ＲＳ（３μｍ）
流量、移動相Ａ及び移動相Ｂ、グラジェントは実施例１−３−１と同じ条件である。【０１４５】
本測定により、トリフルリジンが、ゴーストピークと重複しないことを確認した。【０１４６】
実施例１−３−４
カラム：ＹＭＣ−Ｐａｃｋ  Ｐｒｏ  Ｃ１８（３μｍ）
流量、移動相Ａ及び移動相Ｂ、グラジェントは実施例１−３−１と同じ条件である。【０１４７】
本測定により、トリフルリジンが、ゴーストピークと重複しないことを確認した。【０１４８】
実施例２−１
カラム：Ｈｙｄｒｏｓｐｈｅｒｅ  Ｃ１８、ＹＭＣ社製（５μｍ）
流量：０〜２１分  １．０ｍＬ／ｍｉｎ、２１〜４６分  １．０→１．３ｍＬ／ｍｉｎ、４６〜４６．１分  １．３→１．０ｍＬ／ｍｉｎ、４６．１分以降  １．０ｍＬ／ｍｉｎ
移動相Ａ：リン酸二水素ナトリウム二水和物３．０ｇを水１０００ｍＬに溶かし、リン酸を加えてｐＨ２．２に調整した後にメタノール１０ｍＬを加えた。
移動相Ｂ：アセトニトリル
グラジェント：移動相Ａと移動相Ｂを次の様に変えて濃度勾配制御した。０〜２１分：Ａ  ９６％  Ｂ  ４％、２１〜４６分：Ａ  ９６→４５％  Ｂ  ４→５５％、４６〜４６．１分  Ａ４５→９６％  Ｂ５５→４％、４６．１以降  Ａ  ９６％  Ｂ  ４％。【０１４９】
測定結果を図３に示す。これにより、トリフルリジンの保持時間が１７．４分であることがわかった。また、類縁物質１の保持時間が３．１分、類縁物質２の保持時間が５．６分、類縁物質３の保持時間が４．１分、類縁物質４の保持時間が７．９分、類縁物質５の保持時間が８．８分、類縁物質６の保持時間が４２．９分であった。【０１５０】
検出された各類縁物質は、別途購入又は合成した各類縁物質と保持時間が一致したことから、類縁物質１〜６の構造を示した化合物であることを確認した。【０１５１】
結論としては、本測定方法において、トリフルリジンが、ベースラインの凹み及びゴーストピークと重複しないことを確認した。併せて、トリフルリジンの各類縁物質及びトリフルリジンが分離できることがわかった。さらに、類縁物質６のピークが、後述の合成した類縁物質６と保持時間が一致したため、本測定における保持時間４２．９分のピークは類縁物質６と判断した。【０１５２】
実施例２−２
カラム：Ｕｎｉｓｏｎ  ＵＫ−Ｃ１８、インタクト社製（５μｍ）
その他の条件は実施例２−１と同一である。【０１５３】
本測定による結論は、実施例２−１と同様であった。【０１５４】
実施例２−３
移動相Ａ：リン酸二水素ナトリウム二水和物３．０ｇを水１０００ｍＬに溶かし、リン酸を加えてｐＨ２．２に調整した後にメタノール９ｍＬを加えた。
その他の条件は実施例２−１と同一である。【０１５５】
本測定による結論は、実施例２−１と同様であった。【０１５６】
実施例２−４
流量：０〜２１分  ０．９５ｍＬ／ｍｉｎ、２１〜４６分  ０．９５→１．２５ｍＬ／ｍｉｎ、４６〜４６．１分  １．２５→０．９５ｍＬ／ｍｉｎ、４６．１分以降  ０．９５ｍＬ／ｍｉｎ
その他の条件は実施例２−１と同一である。【０１５７】
本測定による結論は、実施例２−１と同様であった。【０１５８】
実施例２−５
グラジェント：移動相Ａと移動相Ｂを次の様に変えて濃度勾配制御した。０〜２１分：Ａ  ９５．８％  Ｂ  ４．２％、２１〜４６分：Ａ  ９５．８→４３％  Ｂ  ４．２→５７％、４６〜４６．１分  Ａ４３→９５．８％  Ｂ５７→４．２％、４６．１以降  Ａ  ９５．８％  Ｂ  ４．２％。
その他の条件は実施例２−１と同一である。【０１５９】
本測定による結論は、実施例２−１と同様であった。【０１６０】
実施例３
カラム：Ｉｎｅｒｔｓｉｌ  ＯＤＳ−２、ＧＬサイエンス社製（５μｍ）
流量：１．０ｍＬ／ｍｉｎ
移動相Ａ：０．０５ｍｏｌ／Ｌ  リン酸二水素ナトリウム水溶液
移動相Ｂ：アセトニトリル
グラジェント：移動相Ａと移動相Ｂを次の様に変えて濃度勾配制御した。０〜２分：Ａ  ８５％  Ｂ  １５％、２〜７分：Ａ  ８５→６０％  Ｂ  １５→４０％、７分以降  Ａ６０％  Ｂ４０％。【０１６１】
測定結果より、トリフルリジンの保持時間が３．６分であることがわかった。また、類縁物質１〜５の保持時間が１．０〜２．５分に集中し、それらのピーク面積を算出できなかった。【０１６２】
結論としては、本測定方法では、トリフルリジンの類縁物質１〜５の検出はかならずしも正確ではないものの、類縁物質６の検出ができたことがわかった。【０１６３】
実施例２
カラム：Ｉｎｅｒｔｓｉｌ  ＯＤＳ−２、ＧＬサイエンス社製（５μｍ）
流量：１．０ｍＬ／ｍｉｎ
移動相Ａ：水
移動相Ｂ：アセトニトリル
グラジェント：  Ａ６０％  Ｂ４０％のアイソクラティック状態。【０１６４】
測定結果より、トリフルリジンの保持時間が１．８分、類縁物質６の保持時間が７．６分であることがわかった。類縁物質１〜５の保持時間が１．６〜２．５分に集中し、それらのピーク面積を算出できなかったものの、上記のように類縁物質６を検出することはできた。【０１６５】
参考例  ５’−（４−クロロフェニルカルボキシ）−２’−デオキシ−５−トリフルオロメチルウリジン（類縁物質６）の合成【０１６６】
【化２】
2019135405.tif 000005
【０１６７】
市販のトリフルリジン（２．００ｇ）をピリジン（８ｍＬ）に溶解させ、氷浴下ｐ−クロロベンゾイルクロリド（１．１８ｇ）をゆっくり加え、室温にて１時間撹拌した。その後、溶媒を留去し、残渣をシリカゲルカラムクロマトグラフィー（クロロホルム／メタノール＝１００／０〜９１／９）にて精製し、５’−（４−クロロフェニルカルボキシ）−２’−デオキシ−５−トリフルオロメチルウリジン（１．４９ｇ、類縁物質６）及び３’−（４−クロロフェニルカルボキシ）−２’−デオキシ−５−トリフルオロメチルウリジン（２３８ｍｇ、参考化合物１）を得た。【０１６８】
類縁物質６：１Ｈ−ＮＭＲ（ＤＭＳＯ−ｄ６、２７０ＭＨｚ）  δ（ｐｐｍ）１１．９１（１Ｈ、ｓ）、８．０３（１Ｈ、ｓ）、７．９５（２Ｈ、ｄ、Ｊ＝６．７５Ｈｚ）、７．６０（２Ｈ、ｄ、Ｊ＝６．７５Ｈｚ）、６．０７（１Ｈ、ｔ、Ｊ＝６．５５Ｈｚ）、５．４８（１Ｈ、ｄ、Ｊ＝４．２９Ｈｚ）、４．５６−４．３８（３Ｈ、ｍ）、４．１８−４．１６（１Ｈ、ｍ）
参考化合物１：１Ｈ−ＮＭＲ（ＤＭＳＯ−ｄ６、２７０ＭＨｚ）  δ（ｐｐｍ）１１．９２（１Ｈ、ｓ）、８．７２（１Ｈ、ｓ）、８．０３（２Ｈ、ｄ、Ｊ＝８．０７Ｈｚ）、７．６３（２Ｈ、ｄ、Ｊ＝８．０７Ｈｚ）、６．２７（１Ｈ、ｔ、Ｊ＝６．７５Ｈｚ）、５．４８−５．４２（２Ｈ、ｍ）、４．２８（１Ｈ、ｓ）、３．７２（２Ｈ、ｓ）
【図１】
2019135405.tif 000006
【図２】
2019135405.tif 000007
【図３】
2019135405.tif 000008
【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
トリフルリジン又はその塩を含む試料を有機相及び水相からなる移動相を用いる高速液体クロマトグラフィーに供する工程を含む、トリフルリジン由来の類縁物質を検出するための方法であって、
前記高速液体クロマトグラフィーに供する工程が、以下の要件を満たすステップ１及び２
ステップ１：移動相全体に対する有機相の割合が１〜１４容量％である。
ステップ２：ステップ１の後、移動相全体に対する有機相の割合を増加させるようグラジェントをかける。
を含み、前記類縁物質が下記類縁物質１〜６
類縁物質１：５−カルボキシウラシル、
類縁物質２：５−カルボキシ−２’−デオキシ−ウリジン、
類縁物質３：２’−デオキシ−５−メトキシカルボニルウリジン、
類縁物質４：トリフルオロチミン、
類縁物質５：５−メトキシカルボニルウラシル、
類縁物質６：５’−（４−クロロフェニルカルボキシ）−２’−デオキシ−５−トリフルオロメチルウリジン。
を含み、ステップ１で類縁物質１〜５を検出し、ステップ２で類縁物質６を検出する、方法。
【請求項２】
ステップ１がアイソクラティック状態で行われる、請求項１に記載の方法。
【請求項３】
有機相がアセトニトリルである、請求項１又は２に記載の方法。
【請求項４】
ステップ１における移動相全体に対する有機相の割合が２〜１０容量％である、請求項１〜３のいずれか一項に記載の方法。
【請求項５】
ステップ２の終了時における移動相全体に対する有機相の割合が２５〜７０容量％である、請求項１〜４のいずれか一項に記載の方法。
【請求項６】
ステップ２において移動相全体に対する有機相の割合を１分間に０．９容量％以上増加させるグラジェントをかける、請求項１〜５のいずれか一項に記載の方法。
【請求項７】
ステップ２の測定時間が１０〜５０分間である、請求項１〜６のいずれか一項に記載の方法。
【請求項８】
ステップ２の終了時における流量がステップ１の流量の１．０〜１．５倍である、請求項１〜７のいずれか一項に記載の方法。
【請求項９】
水相がさらにリン酸塩を含む、請求項１〜８のいずれか一項に記載の方法。
【請求項１０】
水相がさらにメタノールを含む、請求項１〜９のいずれか一項に記載の方法。
【請求項１１】
トリフルリジン又はその塩を含む配合剤の品質管理に用いられる２’−デオキシ−５−メトキシカルボニルウリジン（類縁物質３）。
【請求項１２】
トリフルリジン又はその塩を含む配合剤の不純物検出の際に標準品として用いるための２’−デオキシ−５−メトキシカルボニルウリジン（類縁物質３）。
【請求項１３】
２’−デオキシ−５−メトキシカルボニルウリジン（類縁物質３）の、トリフルリジン又はその塩を含む配合剤の不純物検出の際の標準品としての使用。
【請求項１４】
２’−デオキシ−５−メトキシカルボニルウリジン（類縁物質３）からなる、トリフルリジン又はその塩を含む配合剤の不純物検出の際の標準品。
【請求項１５】
トリフルリジン又はその塩を含む配合剤の品質管理に用いられる５−メトキシカルボニルウラシル（類縁物質５）。
【請求項１６】
トリフルリジン又はその塩を含む配合剤の不純物検出の際に標準品として用いるための５−メトキシカルボニルウラシル（類縁物質５）。
【請求項１７】
５−メトキシカルボニルウラシル（類縁物質５）の、トリフルリジン又はその塩を含む配合剤の不純物検出の際の標準品としての使用。
【請求項１８】
５−メトキシカルボニルウラシル（類縁物質５）からなる、トリフルリジン又はその塩を含む配合剤の不純物検出の際の標準品。
【請求項１９】
５’−（４−クロロフェニルカルボキシ）−２’−デオキシ−５−トリフルオロメチルウリジン（類縁物質６）。
【請求項２０】
トリフルリジン又はその塩を含む配合剤の品質管理に用いられる５’−（４−クロロフェニルカルボキシ）−２’−デオキシ−５−トリフルオロメチルウリジン（類縁物質６）。
【請求項２１】
トリフルリジン又はその塩を含む配合剤の不純物検出の際に標準品として用いるための５’−（４−クロロフェニルカルボキシ）−２’−デオキシ−５−トリフルオロメチルウリジン（類縁物質６）。
【請求項２２】
５’−（４−クロロフェニルカルボキシ）−２’−デオキシ−５−トリフルオロメチルウリジン（類縁物質６）の、トリフルリジン又はその塩を含む配合剤の不純物検出の際の標準品としての使用。
【請求項２３】
５’−（４−クロロフェニルカルボキシ）−２’−デオキシ−５−トリフルオロメチルウリジン（類縁物質６）からなる、トリフルリジン又はその塩を含む配合剤の不純物検出の際の標準品。
【国際調査報告】
2019135405.tif 000009
2019135405.tif 000010
2019135405.tif 000011
2019135405.tif 000012
2019135405.tif 000013
2019135405.tif 000014
2019135405.tif 000015
2019135405.tif 000016
2019135405.tif 000017